(57)【要約】【課題】ペットの排泄行為に伴う飼育者の排泄物処理作業の負担を軽減することができるペット排泄物処理具を提供すること。【解決手段】本発明のペット排泄物処理具は、ペット排泄物処理用積層シート１と、該ペット排泄物処理用積層シート１が載置され、その積層シート１の少なくとも一部を固定可能な保持具２とからなり、ペット排泄物処理用積層シート１は、複数枚の排泄物処理用シート１Ａ，１Ｂが重ねられ且つ一部分で相互に固着されて形成されており、保持具２は、ペット排泄物処理用積層シート１から個々の排泄物処理用シート１Ａ，１Ｂを分離するエッジ部（分離手段）２２ｃを備えている。【選択図】図２
2010136669.tif 000002
【特許請求の範囲】
【請求項１】
ペット排泄物処理用積層シートと、該ペット排泄物処理用積層シートが載置され、その積層シートの少なくとも一部を固定可能な保持具とからなるペット排泄物処理具であって、
前記ペット排泄物処理用積層シートは、複数枚の排泄物処理用シートが重ねられ且つ一部分で相互に固着されて形成されており、
前記保持具は、前記ペット排泄物処理用積層シートから個々の排泄物処理用シートを分離する分離手段を備えているペット排泄物処理具。
【請求項２】
前記分離手段は、前記排泄物処理用シートの一部を分断する分断手段である、請求項１に記載のペット排泄物処理具。
【請求項３】
前記分断手段は、複数枚の前記排泄物処理用シートが相互に固着された固着部より、前記排泄物処理用積層シートの中央側を分断するように配置されている、請求項１又は２記載のペット排泄物処理具。
【請求項４】
前記排泄物処理用シートは、上層シート、下層シート及びそれら両シート間に配置された吸収体からなり、少なくとも一枚の排泄物処理用シートは、排泄物処理用シートどうしが固着された固着部より中央側であって前記吸収体の周縁端より外側に、前記分断手段により容易に分断される脆弱部を有している請求項１〜３の何れかに記載のペット排泄物処理具。
【請求項５】
少なくとも一枚の前記排泄物処理用シートは、排泄物処理用シートどうしが固着された固着部より中央側であって、排泄物処理用シートの周縁端から１０ｃｍまでの範囲に、前記分断手段により容易に分断される脆弱部を有している請求項１〜４の何れかに記載のペット排泄物処理具。
【請求項６】
ペット排泄物処理用積層シートと、該ペット排泄物処理用積層シートが載置され、その積層シートの少なくとも一部を固定可能な保持具とからなるペット排泄物処理具であって、
前記ペット排泄物処理用積層シートは、重ねられた複数枚の排泄物処理用シートからなり、
前記保持具は、前記排泄物処理用シートの一部を分断する分断手段を備えているペット排泄物処理具。
【請求項７】
ペット排泄物処理用積層シートと、該ペット排泄物処理用積層シートが載置され、その積層シートの少なくとも一部を固定可能な保持具とからなるペット排泄物処理具であって、
前記ペット排泄物処理用積層シートは、重ねられた複数枚の排泄物処理用シートからなり、
前記保持具は、前記ペット排泄物処理用積層シートが載置される底部と、該底部に載置されたペット排泄物処理用積層シートの周縁部を覆うように、該底部に固定可能な枠部とを有しており、
前記枠部の一部に、前記排泄物処理用シートの引き出しを容易とする切欠部が形成されている、ペット排泄物処理具。
【発明の詳細な説明】
【技術分野】
【０００１】
近年、犬や猫等のペットを室内で飼育することが広く行われており、このようなペットの尿や糞で床を汚さないようにするための使い捨てのペット排泄物処理用シートも知られている。例えば、特許文献１には、吸水シート層と、この吸水シート層の下面と接触するように配置された防水シート層とを有するペット排泄物処理用シートが開示されている。
従来のペット排泄物処理用シートは、特許文献１に開示されるようなロール状に巻回された状態とされたり、折り畳まれて包装袋に収納された状態とされて、市販等されている。折り畳まれて包装袋に収納される場合、通常、１枚毎に畳まれたものが複数枚積層されて収納されている。
【０００２】
【特許文献１】実開平２−１２７１５５号公報
【発明の開示】
【発明が解決しようとする課題】
【０００３】
しかし、上述した従来のペット排泄物処理用シートでは、床やペット用の専用トイレに、包装袋から取り出したシートを設置してペットに排泄行為をさせた後、排泄物が付着したシートを廃棄し、同じ場所に新たなシートを敷設するという作業を、ペットの排泄量や排泄の頻度にもよるが、通常、一日に複数回行わなければならないことが多く、その作業に、手間がかかるという問題があった。そのため、ペットの排泄行為に伴う処理作業負担の軽減を図る必要があった。
【０００４】
従って、本発明の目的は、ペットの排泄行為に伴う飼育者の排泄物処理作業の負担を軽減することができるペット排泄物処理具を提供することにある。
【課題を解決するための手段】
【０００５】
本発明は、ペット排泄物処理用積層シートと、該ペット排泄物処理用積層シートが載置され、その積層シートの少なくとも一部を固定可能な保持具とからなるペット排泄物処理具であって、前記ペット排泄物処理用積層シートは、複数枚の排泄物処理用シートが重ねられ且つ一部分で相互に固着されて形成されており、前記保持具は、前記ペット排泄物処理用積層シートから個々の排泄物処理用シートを分離する分離手段を備えているペット排泄物処理具を提供することにより前記目的を達成したものである。
【０００６】
また、本発明は、ペット排泄物処理用積層シートと、該ペット排泄物処理用積層シートが載置され、その積層シートの少なくとも一部を固定可能な保持具とからなるペット排泄物処理具であって、前記ペット排泄物処理用積層シートは、重ねられた複数枚の排泄物処理用シートからなり、前記保持具は、前記排泄物処理用シートの一部を分断する分断手段を備えているペット排泄物処理具を提供するものである（以下、第２発明というときは、この発明をいう）。
【０００７】
また、本発明は、ペット排泄物処理用積層シートと、該ペット排泄物処理用積層シートが載置され、その積層シートの少なくとも一部を固定可能な保持具とからなるペット排泄物処理具であって、前記ペット排泄物処理用積層シートは、重ねられた複数枚の排泄物処理用シートからなり、前記保持具は、前記ペット排泄物処理用積層シートが載置される底部と、該底部に載置されたペット排泄物処理用積層シートの周縁部を覆うように、該底部に固定可能な枠部とを有しており、前記枠部の一部に、前記排泄物処理用シートの引き出しを容易とする切欠部が形成されている、ペット排泄物処理具を提供するものである（以下、第３発明というときは、この発明をいう）。
【発明の効果】
【０００８】
本発明のペット排泄物処理具によれば、ペットの排泄行為に伴う飼育者の排泄物処理作業の負担を軽減することができる。
【発明を実施するための最良の形態】
【０００９】
以下、本発明を、その好ましい実施形態に基づいて、図面を参照しながら説明する。
本発明の一実施形態であるペット排泄物処理具は、図１〜図３に示すように、ペット排泄物処理用積層シート１と、該ペット排泄物処理用積層シート１が載置され、その積層シート１の少なくとも一部を固定可能な保持具２とからなる。
【００１０】
ペット排泄物処理用積層シート１（以下、単に積層シート１ともいう）は、図２〜４に示すように、複数枚の排泄物処理用シート１Ａ，１Ｂ，１Ａ，１Ｂが、重ねられ且つ一部分で相互に固着された構造を有している。
【００１１】
積層シート１は、相互に大きさが異なる２種類の排泄物処理用シート１Ａ，１Ｂをそれぞれ２枚含んでおり、排泄物処理用シート１Ａと排泄物処理用シート１Ｂとは、図２に示すように、積層シート１の厚み方向に交互に配置されている。
【００１２】
積層シート１は、平面視して長方形状を有しており、該長方形の１辺に位置する端部Ｈ１に、該積層シート１を構成する４枚の排泄物処理用シート１Ａ，１Ｂ，１Ａ，１Ｂが相互に固着された固着部を有している。その固着部においては、積層された４枚の排泄物処理用シートが熱融着により一体化されている。
【００１３】
各排泄物処理用シート１Ａ，１Ｂは、それぞれ、上層シート１１、下層シート１２及びこれら両シート１１，１２間に配された吸収体１３から構成されており、これらは、ホットメルト接着剤等の接着剤により層間が接着されて一体化されている。
上層シート１１と下層シート１２とは、排泄物処理用シート１Ａ，１Ｂ毎に同一形状及び大きさにされている。また、上層シート１１と下層シート１２とは、吸収体１３の存在しないフラップ部分においては直接接合されている。
【００１４】
排泄物処理用シート１Ａ，１Ｂに用いられる上層シート１１と下層シート１２の材料としては、従来この種の製品に用いられている材料と同様のものを用いることができる。例えば上層シート１１として、液透過性のシート材料を用いることができる。シート材料の素材としては、例えばポリエチレンやポリプロピレン等のポリオレフィン系樹脂、ポリエチレンテレフタレート等のポリエステル系樹脂、ポリアミド系樹脂などの各種熱可塑性樹脂が挙げられる。これらの素材からなるシート材料は、例えば繊維シート、フィルム、これらの積層体の形態であり得る。シート材料が撥水性の素材から構成されている場合には、各種親水化剤による親水化処理を施してもよい。
【００１５】
前記のシート材料が繊維シートである場合、該繊維シートとしては、織布及び不織布の何れも用いることができる。ペット用シートが使い捨てのものであることを考慮すると、経済性の観点から該繊維シートとして不織布を用いることが好適である。繊維シートとして不織布を用いる場合、該不織布としては、例えばスパンボンド不織布、エアスルー不織布、スパンレース不織布、ニードルパンチ不織布、ケミカルボンド不織布などを用いることができる。これらの不織布のうち、強度が高く、また液透過性が良好な不織布であるスパンボンド不織布を用いることが好ましい。
【００１６】
前記の繊維シートは繊維間に空隙を有しているので、この空隙を通して液を透過させることが可能である。しかし、該繊維シートに開孔処理を施して多数の開孔を規則的又は不規則に形成し、液の透過を一層確実にしてもよい。シート材料がフィルムである場合には、液の透過を確保するために、該フィルムに開孔処理を施して多数の開孔を規則的又は不規則に形成することが必要である。これら繊維シートやフィルムに形成される開孔は、平面的なものでもよく、或いは漏斗状の立体的なものでもよい。特に開孔が立体的であると、吸収体に吸収された液の上層シート表面への逆戻り、すなわちウエットバックが起こりにくくなるので有利である。
【００１７】
上層シート１１を構成するシート材料は、それが繊維シートであるか或いはフィルムであるか、また、その色を問わず、その坪量が１０〜５０ｇ／ｍ2、特に１５〜２５ｇ／ｍ2であることが、上層シート１１の十分な強度の確保及び原料コストやシートの厚み感の観点から好ましい。
【００１８】
下層シート１２としては、熱可塑性樹脂からなる液不透過性のフィルムを用いることができる。また、このフィルムに不織布等を積層してもよい。或いは下層シート１２として、スパンボンド−メルトブローン−スパンボンド不織布のような撥水性のシート材料を用いてもよく、その色についても問わない。下層シート１２は、その坪量が１０〜５０ｇ／ｍ2、特に１５〜３０ｇ／ｍ2であることが、下層シート１２の十分な強度の確保の観点、十分な液遮断性の確保、そして製品シートの厚み及び取り扱い性の観点から好ましい。
【００１９】
吸収体１３としては、吸液素材、例えばフラッフパルプ、吸収性ポリマー、それらの混合積繊体などを用いることができる。ここで、吸収性ポリマーとしては、各種公知のものを特に制限なく用いることができ、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。また、繊維材料としては、各種公知のものを特に制限なく用いることができ、例えば、パルプ繊維、レーヨン繊維やコットン、酢酸セルロース等の親水性繊維等を用いることができ、これらには、ポリエチレン、ポリプロピレン等のポリオレフィン系繊維、ポリエステル、ポリアミド等の縮合系繊維、塩化ビニル、酢酸ビニル等のビニルモノマー重合体の繊維等を混在させてもよい。
【００２０】
特に、フラッフパルプと吸収性ポリマーの混合積繊体を用いると、十分な吸収容量を確保し得る観点から好ましい。この混合積繊体を用いる場合、その周囲をティッシュペーパーなどの吸収紙で被覆することが、該混合積繊体の保形性の確保や、吸収性ポリマーの脱落防止の観点から好ましく、該ティッシュペーパーに各種の色を配することで、その場所がトイレ場所であると認識し易くなると共に、室内のインテリアとしても有効なものとなる。
【００２１】
本実施形態の積層シート１は、これを構成する複数枚の排泄物処理用シート１Ａ，１Ｂ，１Ａ，１Ｂを一体的に折り曲げて折り畳んだものを、更に複数枚積層した状態で包装袋や容器等に収容して市場に流通（市販等）させることが、コンパクトな形態で、運搬、商品陳列、保管等することができる観点から好ましい。
【００２２】
本実施形態における保持具２は、全体としてトレイ状の形態を有し、平面状に拡げた状態の積層シート１を内部に載置できると共に、その積層シート１の周縁部の一部を上下から挟持して固定することができるものである。保持具２は、積層シート１を保持した状態で、カーペットや絨毯等からなる室内の床面に載置して使用することができる。
【００２３】
保持具２は、図１に示すように、平面視して長方形状であり、四隅には丸みが形成されている。保持具２の材質としては、プラスチック、木材、高強度パルプモールド、又はセラミックなど各種の材料を採用することができる。尚、図１中には、長方形状の破線が２本描かれているが、外側の破線Ｂ１は積層シート１の外形を表しており、内側の破線Ｂ２は吸収体１３の輪郭を表している。
【００２４】
保持具２は、図２及び図３に示すように、底部２１と枠部２２から構成されている。底部２１は、積層シート１（換言すれば、複数枚の排泄物処理用シート１Ａ，１Ｂ）を載置するトレイ土台２１ａと、このトレイ土台２１ａの周縁部近傍から立設した突起部２１ｂとを有している。突起部２１ｂの外側面には溝部２１ｂ１が形成され、この溝部２１ｂ１に、枠部２２の突起２２ａが嵌合するようになされている。
【００２５】
枠部２２は、図１に示すように、長方形状に結合した棒状の４本の枠辺部２２１〜２２４からなり、互いに平行な一対の枠辺部２２２，２２３には、それぞれの枠部中央側の開口周縁部の下面に、積層シート１の上面に当接する抑え部２２ｂが形成されている。他の一本の枠辺部２２１には、積層シート１の上面に向かって突出するように、先端部が鋭角のエッジ部２２ｃが形成されている。残りの一本の枠辺部２２４には、排泄物処理用シート１Ａ，１Ｂを取り出し易くするための切欠部２ａが形成されており、その部分を含めて積層シートの上面を強く加圧する抑え部は形成されていない。
【００２６】
枠辺部２２２及び２２３における抑え部２２ｂは、枠辺部２２２，２２３それぞれの長手方向に沿って連続して形成されていても良いし、同方向に所定の間隔（例えば、０．５〜１０ｃｍ間隔）で間欠的に形成されていても良い。また、分離手段（分断手段）であるエッジ部２２ｃは、枠辺部２２１の長手方向に沿って連続して形成されていることが好ましいが、排泄物処理用シートを分断し得るものであれば、枠辺部２２１の長手方向に間欠的に形成されていても良い。本実施形態におけるエッジ部２２ｃは、枠片部２２１の枠部の開口周縁部に沿う部分の略全長に亘って連続的に形成されている。
【００２７】
枠部２２は、トレイ土台２１ａ上に載置した積層シート１上に覆い被せるようにして、底部２１に対して固定することができ、その固定状態においては、枠辺部２２１のエッジ部２２ｃ及び枠辺部２２２，２２３の抑え部２２ｂが、積層シート１の周縁部の上方を押圧し、それにより、積層シート１が、拡げられた状態に安定に保持される。
なお、枠部２２は、その一部（例えば、枠片部２２２又は２２３の一部）が、底部２１に対してヒンジ等で連結されているものであっても、底部２１から完全に取り外すことができるものであっても良い。
【００２８】
図５には、保持具２に保持させた状態の積層シート１から、該積層シート１の最上層を構成する排泄物処理用シート１Ａを分離する様子が示されている。
より具体的には、ペット飼育者が、ペット排尿後の排泄物処理用シート１Ａの一端を把持し、該排泄物処理用シート１Ａの左右の側部を、枠片部２２２又は２２３の下面側から引っ張り出しながら持ち上げ、該排泄物処理用シート１Ａの一部を上述したエッジ部２２ｃにより切断させながら、該排泄物処理用シート１Ａを、残りの排泄物処理用シート１Ｂから分離している状態が示されている。
【００２９】
このようにして、積層シート１の最上層の排泄物処理用シート１Ａを分離すると、未使用状態の次の排泄物処理用シート１Ｂが表面に現れる。その排泄物処理用シート１Ｂについても、ペットの排泄後に、排泄物処理用シート１Ａと同様にして、保持具２に残る他の排泄物処理用シート１Ａ，１Ｂから分離することができる。尚、排泄物処理用シート１Ａ，１Ｂの一端を把持するときには、枠部２２に形成した円弧状の切欠部２ａに指を挿入し、排泄物処理用シート１Ａ又は１Ｂの端部を摘むようにすると把持し易い。
本実施形態のペット排泄物処理具によれば、このようにして、保持具２に保持された積層シート１の一方の面側から排泄物処理用シート１Ａ，１Ｂを順次分離していくことができる。
【００３０】
本実施形態のペット排泄物処理具においては、前記エッジ部２２ｃが、排泄物処理用シートの一部を分断する分断手段であり、個々の排泄物処理用シート１Ａ，１Ｂを引き出す際に、該エッジ部２２ｃにより、それらの一部が分断されることで、個々の排泄物処理用シート１Ａ，１Ｂが容易に分離される。
【００３１】
エッジ部２２ｃ等による分断を容易にする観点から、少なくとも一枚の前記排泄物処理用シート、特に、保持具２に載置されたときに最も床寄りに位置する排泄物処理用シート以外の排泄物処理用シートは、その取り出し時にエッジ部２２ｃが当たる部分が、エッジ部２２ｃ（分断手段）により容易に分断される脆弱部となっていることが好ましい。
【００３２】
例えば、本実施形態における積層シート１においては、排泄物処理用シートどうしが固着された端部Ｈ１の固着部より中央側であって前記吸収体１３の周縁端１３ａより外側（図４に符号１４で示す領域）に、エッジ部２２ｃ（分断手段）が当接するが、該部分が、エッジ部２２ｃにより容易に分断される脆弱部となっていることが好ましい。
本実施形態における積層シート１においては、前記領域１４の全域が脆弱部となっているが、領域１４内のエッジ部２２ｃが当接する、より狭い範囲のみが脆弱部となっていても良い。
【００３３】
排泄物処理用シートに脆弱部を設けるには、例えば、上述した領域１４を構成する上層シート１１及び下層シート１２として、破断し易いシートを用いる方法、脆弱部とする部分のシート間のホットメルト等の接着剤量を減らす方法、部分的なヒートシールによる方法、噛み込みエンボスによる非接着方法によるもの等の方法がある。好ましい方法としては、上層シート１１として、ポリオレフィン不織布を用いる一方、下層シート１２としてポリエチレンバックシートを用い、それらの両シート間を低温下における部分的ヒートシールで接合する方法等が挙げられる。
【００３４】
また、積層シート１を構成する少なくとも一枚の排泄物処理用シートは、排泄物処理用シートどうしが固着された固着部より中央側であって、排泄物処理用シートの周縁端１から１０ｃｍまでの範囲、特に周縁端１７から５ｃｍまでの範囲に、エッジ部２２ｃ（分断手段）により容易に分断される脆弱部を有していることが好ましい。排泄物処理用シートどうしが固着された固着部より中央側とは、図４においては、端部Ｈ１に形成された固着部より下方ということである。
【００３５】
また、積層シート１は、分離手段が接する部分を、吸収体１３が存在しないフラップ部分とすることが好ましい。特に分離手段と接する部分よりもシート１の内側（０．２〜５ｃｍ、好ましくは０．５〜２ｃｍ）の領域に吸収体がないと、シートを分離したときに吸収体の構成要素が漏れ出ることを抑制可能となり、特に大量の尿を吸収した後には尿を吸収した吸収体の構成要素が漏れ出すことを防ぐことにより、衛生的な使用が可能となる。また、シート１の脆弱部１４においては吸収体１３が存在しないことが好ましい。このとき、フラップ部では上層シートと下層シートが直接接合されているので、分断作業時に吸収体が仮に破損してもその構成要素が漏れ出すことを有効に抑制可能である。
【００３６】
また、保持具２に分断手段としてエッジ部２２ｃを形成する場合、該エッジ部２２ｃは、図６に示すように、先端部の角度αが鋭角であることが好ましく、該角度αは、５〜８５、特に１０〜４５であることが好ましい。また、保持具２を水平に床に載置した状態において、エッジ部２２ｃの先端部は、斜め下方あるいは真下を向いていることが好ましい。
【００３７】
本発明においては、性能の異なる複数種類の排泄物処理用シートを組み合わせた積層シートを用いることも好ましい。例えば、上述した実施形態の積層シート１においては、排泄物処理用シート１Ａと排泄物処理用シート１Ｂとで、性能を異ならせることもできる。
異ならせる性能としては、消臭性能、吸収性能、そして表面シート強度（犬の悪戯による引っ掻き防止など）等が挙げられ、これら２種以上の性能を異ならせることもできる。
例えば、消臭性能のある排泄物処理用シート１Ａ又は１Ｂと、それより消臭性能は劣るが吸収性能は高い排泄物処理用シート１Ｂ又は１Ａとを重ね合わせることもできる。
また、日中等にシートを悪戯して破いてしまうことが多いペットの場合には、その時間帯に合わせて表面強度の強いシートが最上面にくるように設置するということも使い勝手の面から工夫することができる。
【００３８】
シートの消臭性能の違いは、例えば、１）香料成分の配合量を異ならせる方法、２）吸水性ポリマーの配合量を異ならせる方法、３）単位あたりの吸収量の異なる吸水性ポリマーを配合する方法、４）木粉ペレットを配合する場合にはその配合量を異ならせる方法、５）これらの方法の２種以上を組み合わせた方法等により発現させることができる。香料の種類としては、特に制限はなく、例えば、特開２００７−２２９１５１号公報記載の各種の物質を用いることができる。
また、シートの吸収性能の違いは、例えば、吸収性ポリマーの含有量や種類、又はパルプ量を異ならせることで総吸収量の違いとして発現させることができる。
更には、尿臭（アンモニア臭）については、吸収性ポリマーの含有量によっても、その違いを発現することができる。
【００３９】
例えば、共稼ぎや一人暮らしで、排泄物処理用シート１Ａ，１Ｂの取替えを朝夜の１日に２回行う場合、排泄物処理用シート１Ａに高吸収性シート、排泄物処理用シート１Ｂに消臭力に優れたシートが好適に用いられる。この場合、排泄物処理用シート１Ａ，１Ｂからなる積層シート１を夜のうちに設置しておくと、急がしい朝の作業を、排泄物処理用シート１Ａを分離して廃棄するという簡単な作業で終わらせることができる。
上層に高吸収性シートを用いるのは、朝に排出されるペットの大量の尿を吸収するためであり、下層に消臭力に優れたシートを用いるのは、ペットの尿を数回に渡り吸収する必要が生じることがあるため、飼い主が帰宅した時に尿のニオイが気にならないようにするためである。
【００４０】
また、上層に高吸収性シートを用い、下層にそれより低吸収性のシートを用いるようにしてもよい。上層に高吸収性シートを用いるのは、朝一番の大量の尿を吸収するためであり、下層に通常吸収性シートを用いるのは、半日分程度の尿の吸収に対応するためである。吸収性能は、パルプ量やポリマー量を調整することにより変化させることができる。また、上層に通常消臭性シートを用い、下層に高消臭性シートを用いてもよい。上層に通常消臭性シートを用いるのは、朝一回分の尿の消臭に対応するためであり、下層に高消臭性シートを用いるのは、日中の長時間、数回排泄された尿の消臭に対応するためである。その他、各種組み合わせを適用することができる。
【００４１】
上述した実施形態のペット排泄物処理具においては、積層シート１が、複数枚の排泄物処理用シート１Ａ，１Ｂが、重ねられ且つ一部分で相互に固着された構成を有し、保持具２に保持させた排泄物処理用シート１から、エッジ部２２ｃ（分離手段）により、個々の排泄物処理用シート１Ａ，１Ｂを容易に分離可能であるため、積層シート１を保持具２にセットした後、各排泄物処理用シートの濡れ具合や汚れ具合等に応じて、適宜に分離して使用することで、ペットの排泄行為に伴う飼育者の排泄物処理作業の負担を軽減することができる。積層シート１においては、排泄物処理用シート１Ａ，１Ｂを、積層シート１の片面側から順次分離可能になされているので、排泄物処理作業を一層効率的に行うことができる。
また、上述した実施形態では、排泄物処理用シート１Ａと排泄物処理用シート１Ｂとで大きさを異ならせてあるため、個々の排泄物処理用シートの取り出しが容易であると共に、排泄物処理用シート１Ａと排泄物処理用シート１Ｂとを交互に重ねてあるので、性能を相互に異ならせて一層効率の良い使用方法も可能である。また、排泄物処理用シートを、３枚以上、特に４枚以上積層してあるので、ペットと共に過ごす時間の長い専業主婦等が、ペットの排便後に毎回取り替えるといった使用方法も可能である。
【００４２】
第２、第３発明のペット排泄物処理具の実施形態としては、上述した、積層シート１及び保持具２からなるペット排泄物処理具の他、そのペット排泄物処理具の積層シート１に代えて、重ねられた複数枚の同形同大の排泄物処理用シートからなり、該排泄物処理用シート間が固着されていないペット排泄物処理用積層シートを用いたもの等を挙げることができる。このようなペット排泄物処理用積層シートとしては、例えば、上記の積層シート１における排泄物処理用シート１Ｂのみを互いの中心を一致させて複数枚重ねたもの等を用いることができる。
保持具に排泄物処理用シートの一部を分断する分断手段が形成されていることにより、複数枚の排泄物処理用シートの一部が保持具によって固定されていても、ペットが排泄した後の排泄物処理用シートを、保持具に保持されている残りの排泄物処理用シートから容易に分離して取り除くことができる。また、保持具の枠体に排泄物処理用シートの引き出しを容易とする切欠部が形成されていることにより、ペット排泄物処理用積層シートの周縁部が枠部に覆われていても、切欠部に指を入れて、排泄物処理用シートを取り出すことで、ペットが排泄した後の排泄物処理用シートを、保持具から容易に取り除くことができる。
【００４３】
以上、本発明の好ましい実施形態について説明したが、本発明は上述した実施形態に制限されず、適宜変更可能である。
【００４４】
例えば、上述した実施形態では、分離手段として、枠部２２にエッジ部２２ｃを設けたが、エッジ部２２ｃに代えて、アルミホイルや、ラップシートの箱体に設ける各種公知の切断刃と同様のものを用いることもできる。また、包丁の刃のような鋭利な刃を設けることもできる。また、上述した実施形態においては、枠片部２２２，２２３には、切断手段等を設けなかったが、枠片部２２２，２２３にも、枠片部２２１と同様のあるいはそれとは異なる種類の分断手段等を設けることもできる。また、積層シート１の端部Ｈ１に設ける固着部は、各排泄物処理用シートの周端縁１７から所定幅（例えば０．１〜２ｃｍ程度）離間させた位置に設けることもできる。更に、排泄物処理用シートどうしの固着部を、積層シートの端部以外の部分に設けることもできる。
【００４５】
また、排泄物処理用積層シートは、中心点を一致させて積層された、大きさが総て同じ排泄物処理用シートからなるものであっても良い。また、大きさの異なる２種類の排泄物処理用シートが、一方の排泄物処理用シートにおける相対向する２辺それぞれから他方の排泄物処理用シートが延出するように積層されていても良い。また、大きさの異なる３種類以上の排泄物処理用シートが積層されたものであっても良く、その場合においても、積層シートの一面を構成する排泄物処理用シートの一辺からの延出量が、積層シートの他面側に向かうに連れて漸次増加するように積層されたものとすることもできる。
【００４６】
また、ペット排泄物処理用積層シートは、性能が同一の複数枚の排泄物処理用シートからなるものであっても良い。例えば、１回又は２、３回の排尿を吸収するのに必要最小限の吸収力を有する排泄物処理用シートを３〜５枚重ねて一組としてもよい。
排泄物処理用シートの積層枚数は、４枚に代えて、２枚又は３枚でも良く、５枚〜１０枚程度であっても良い。
【００４７】
ペット排泄物処理用積層シート及びそれを構成する個々の排泄物処理用シートの形状は、長方形に代えて、正方形状とすることもでき、楕円形や円形、角部を大きく丸めた四角形、菱形、ハート型等とすることもできる。また、保持具２の平面視形状も、長方形に代えて、正方形状とすることもでき、楕円形や円形、角部を大きく丸めた四角形、菱形、ハート型等とすることもできる。また、枠部に形成する切欠部の平面視形状も、半円形（図１参照）に代えて、長方形、正方形、三角形、半円の円弧を、円弧状に連結した３本以上の直線に置き換えたもの等とすることもできる。
【００４８】
また、個々の排泄物処理用シートは、上層シート、下層シート及びこれら両シート間に配された吸収体を具備するものに限られず、ある程度の吸収容量を持たせた上層シートと防漏性を有する下層シートのみからなるものであっても良く、パルプシートの片面に樹脂層を形成したもの等であっても良い。
また、複数枚の排泄物処理用シートを相互に固着する方法は、熱融着に代えて、エンボス加工、接着剤等であっても良い。また、これらの２以上を組み合わせた方法を用いることもできる。
【図面の簡単な説明】
【００４９】
【図１】図１は、本発明の一実施形態であるペット排泄物処理具を、ペット排泄物処理用積層シートを保持具に保持させた状態として示す平面図（使用時における上方から視た図）である。
【図２】図２は、図１のＩＩ−ＩＩ線断面を一部省略して示す模式断面図である。
【図３】図３は、図１のＩＩＩ−ＩＩＩ線断面を示す模式断面図である。
【図４】図４は、図１に示すペット排泄物処理具に用いたペット排泄物処理用積層シートを一部破断して示す平面図である。
【図５】図５は、図１に示すペット排泄物処理具において、保持具に保持させた状態のペット排泄物処理用積層シートから該積層シートの最上層を構成する排泄物処理用シートを分離する様子を示す図である。
【図６】図６は、エッジ部の拡大模式図である。
【符号の説明】
【００５０】
１  ペット排泄物処理用積層シート
１Ａ，１Ｂ  排泄物処理用シート
１１  上層シート
１２  下層シート
１３  吸収体
Ｈ１  固着部を有する端部
２  トレイ状の保持具
２ａ  切欠部
２１  底部
２１ａ  トレイ土台
２１ｂ  突起部
２１ｂ１  溝部
２２  枠部
２２ａ  突起
２２ｂ  抑え部
２２ｃ  エッジ部（分離手段）
【図１】
2010136669.tif 000003
【図２】
2010136669.tif 000004
【図３】
2010136669.tif 000005
【図４】
2010136669.tif 000006
【図５】
2010136669.tif 000007
【図６】
2010136669.tif 000008